(57)【要約】【課題】  各種封筒に応じて封緘作業および開封作業がワンタッチで行える封緘具を提供する。【解決手段】  一方の面が粘着面２２とされ、他方の面が平滑面２３とされた所定長さの粘着テープ２を粘着面２２と平滑面２３とが交互に積層するように多数積層し、各粘着面２２の少なくとも一端側に粘着面２２から剥離可能なセパレータ３を取り付ける。【選択図】  図１
2006171379.tif 000002
【特許請求の範囲】
【請求項１】
一方の面が粘着面とされ、他方の面が平滑面とされた所定長さの粘着テープの複数枚を上記粘着面と上記平滑面とを対向させて積層した粘着テープ積層体を備え、上記各粘着テープの粘着面の少なくとも一端側には、上記粘着面から剥離可能なセパレータが取り付けられていることを特徴とする封緘具。
【請求項２】
両方の面が粘着面とされた所定長さの両面粘着テープの複数枚を中間セパレータを介して積層した両面粘着テープ積層体を備え、上記各両面粘着テープの少なくとも一端側には、上記各粘着面から剥離可能なセパレータが取り付けられていることを特徴とする封緘具。
【請求項３】
上記粘着テープまたは上記両面粘着テープの長さは、長形Ｘ号、角形Ｘ号、洋形Ｘ号（Ｘは数字）などの各種封筒規格寸法の幅とほぼ同じ長さとされている請求項１または２に記載の封緘具。
【発明の詳細な説明】
【技術分野】
【０００１】
本発明は、例えば封筒などを封緘する粘着テープからなる封緘具であって、さらに詳しく言えば、封緘作業および開封作業を容易に行うことができる封緘具に関する。
【背景技術】
【０００２】
封筒などを封緘する場合、例えば帯状の粘着テープを用いて、封筒本体とフラップ部分とを貼り付けて封緘していた。通常、この粘着テープは、ロール状に巻回された粘着テープロールを例えばテープディスペンサから必要な長さだけ繰り出し、切断することにより得られる。
【０００３】
他方で、両面に粘着面が形成された両面粘着テープを用いる方法もある。すなわち、ロール状に巻かれた両面着テープを直に繰り出して切断し、封筒本体とフラップ部との間に両面粘着テープを介在させ、それらを互いに貼着するようにしたものである。
【０００４】
しかしながら、この方法では次のような煩わしさがあった。すなわち、通常の粘着テープを用いた場合、その粘着面全面が封緘部に粘着面に貼り付くため、開封時に粘着テープを引きはがすための取っ掛かりがなく、開封作業が煩わしい。
【０００５】
また、封筒は内容物の大きさに応じて様々な大きさのものが提供されているため、粘着テープを封緘に必要な長さに合わせて繰り出し、切断しても、長さが長すぎたり短すぎたりする。これは、粘着テープをテープロールから直に繰り出す方法ではなおのこと顕著に表れる。
【発明の開示】
【発明が解決しようとする課題】
【０００６】
そこで、本発明は上述した課題を解決するためになされたものであって、その目的は、各種封筒に応じて封緘作業および開封作業がワンタッチで行える封緘具を提供することにある。
【課題を解決するための手段】
【０００７】
上述した目的を達成するため、本発明は、一方の面が粘着面とされ、他方の面が平滑面とされた所定長さの粘着テープの複数枚を上記粘着面と上記平滑面とを対向させて積層した粘着テープ積層体を備え、上記各粘着テープの粘着面の少なくとも一端側には、上記粘着面から剥離可能なセパレータが取り付けられていることを特徴としている。
【０００８】
両方の面が粘着面とされた所定長さの両面粘着テープの複数枚を中間セパレータを介して積層した両面粘着テープ積層体を備え、上記各両面粘着テープの少なくとも一端側には、上記各粘着面から剥離可能なセパレータが取り付けられていることを特徴としている。
【０００９】
より好ましい態様として、上記粘着テープまたは上記両面粘着テープの長さは、長形Ｘ号、角形Ｘ号、洋形Ｘ号（Ｘは数字）などの各種封筒規格寸法の幅とほぼ同じ長さとされている。
【発明の効果】
【００１０】
これによれば、粘着テープまたは両面着テープはあらかじめ封筒の幅長さと同じ長さに切断されているため、封筒の大きさに応じて繰り出し、切断する手間が省ける上、開封する際はセパレータを把持して引っ張るだけで簡単に開封することができる。また、封緘時にセパレータを剥がして封筒に完全に貼り付けることもできる。
【発明を実施するための最良の形態】
【００１１】
次に、本発明の実施形態について図面を参照しながら説明する。図１は、本発明の一実施形態に係る封緘具の斜視図であり、図２は、そのＡ−Ａ線断面である。
【００１２】
この封緘具１は、帯状の合成樹脂フィルムからなるテープ基材２１の一方の面（図２では下面）に粘着面２２が形成され、他方の面（図２では上面）が平滑面２３とされた粘着テープ２を、その粘着面２２と平滑面２３とを交互に積層するようにしたテープ積層体からなる。なお、積層枚数は任意であり、仕様に応じて適宜選択される。
【００１３】
各粘着テープ２の長さは、あらかじめ例えば長形Ｘ号、角形Ｘ号、洋形Ｘ号（Ｘは数字）などの各種封筒規格寸法の幅とほぼ同じ長さとされている。すなわち、長形１号の場合は横幅１４２ｍｍ、角形１号の場合は長さ２７０ｍｍ、洋形１号の場合は１７２ｍｍなどのように設定されている。
【００１４】
これによれば、従来のように粘着テープロールから所定長さ繰り出して切断する必要なく、封緘する封筒の大きさに応じて封緘具１を選択し、その粘着テープ２を剥がして使うことで簡単に作業ができる。
【００１５】
この実施形態において、テープ基材２１は、合成樹脂フィルムが用いられているが、合成樹脂の材質および厚さなどは特に限定されない。また、延伸フィルムやメンディング加工などの特殊加工が施されていてもよい。さらには、樹脂フィルム以外に、紙製フィルムであってもよく、アルミ箔などの金属フィルムであってもよく、テープ基材２１自体の材質も限定されない。
【００１６】
各粘着テープ２の粘着面２２の一端側（図１では右側）には、粘着面２２から剥離可能なセパレータ３が取り付けられている。セパレータ３は、粘着テープ２の端部に沿って形成されており、この実施形態では半円状に形成されている。
【００１７】
各セパレータ３は、粘着面２２の対向面側にシリコン塗布などの剥離処理が施されており、粘着面２２から簡単に剥がし取ることができる。
【００１８】
次に、この封緘具１の使用手順の一例について封筒の封緘を例にとって説明する。まず、積層された状態の粘着テープ２を上側から剥がし取る。次に、図３に示すように、剥ぎ取った粘着テープ２を封筒４の封筒本体４１とフラップ部４２との重なり合う部分に一端側（反セパレータ３側）から徐々に貼り付けいく。
【００１９】
粘着テープ２をセパレータ３付近まで貼り付けた後は、図４（ａ）に示すように、セパレータ３を残したまま貼り付けを終えてもよし、図４（ｂ）に示すようにセパレータ３を剥がし取って粘着テープ２の全面を封筒４に貼り付けてもよい。
【００２０】
これによれば、前者（図４（ａ））の場合は、開封作業の際にセパレータ３を把持して引き剥がすことで、簡単に開封作業が行える。また、後者（図４（ｂ））によれば、粘着テープ２で完全に塞ぐことができ、重要書類などの封緘に適する。
【００２１】
上述した実施形態では、片面に粘着面が形成された粘着テープ２を用いているが、本発明の封緘具には、両面に粘着面が形成された両面粘着テープを使用してもよい。
【００２２】
すなわち、図５に示すように、この封緘具１０は、帯状の合成樹脂フィルムからなるテープ基材２１の一方の両面に粘着面２２が形成され両面粘着テープ２０を中間セパレータ５０を介して積層したテープ積層体からなる。なお、積層枚数は任意であり、仕様に応じて適宜選択される。なお、テープ基材２１および粘着面２２の材質や構成については特に限定されない。
【００２３】
この実施形態においても、各両面粘着テープ２０の長さは、あらかじめ例えば長形Ｘ号、角形Ｘ号、洋形Ｘ号（Ｘは数字）などの各種封筒規格寸法の幅とほぼ同じ長さとされていることが好ましい。
【００２４】
各両面粘着テープ２０の一端側の各粘着面２２には、粘着面２２から剥離可能なセパレータ３１，３２が取り付けられている。このセパレータ３１，３２の構成も特に限定されない。
【００２５】
この封緘具１０を使用するに当たっては、封筒本体４１とフラップ４２との間に両面粘着テープ２０を介在させて、これらを貼り付けることにより、封緘される。剥がす際は、セパレータ３１，３２をフラップ４２の下側から持って引きはがすだけで、簡単に開封することができる。
【００２６】
以上説明したように、本発明によれば、一方の面が粘着面とされ、他方の面が平滑面とされた所定長さの粘着テープの複数枚を積層した粘着テープ積層体を備え、各粘着テープの粘着面の少なくとも一端側には、粘着面から剥離可能なセパレータが取り付けられていることにより、各種封筒に応じて封緘作業および開封作業がワンタッチで行える。
【図面の簡単な説明】
【００２７】
【図１】本発明の一実施形態に係る封緘具の斜視図。
【図２】上記実施形態の封緘具のＡ−Ａ線断面。
【図３】粘着テープの使用手順を説明する説明図。
【図４】粘着テープの使用手順を説明する説明図。
【図５】両面粘着テープを用いる封緘具の断面図。
【符号の説明】
【００２８】
１，１０  封緘具
２  粘着テープ
２０  両面粘着テープ
２１  テープ基材
２２  粘着面
２３  平滑面
３  セパレータ
４  封筒
５０  中間セパレータ
【図１】
2006171379.tif 000003
【図２】
2006171379.tif 000004
【図３】
2006171379.tif 000005
【図４】
2006171379.tif 000006
【図５】
2006171379.tif 000007